(57)【要約】【課題】電子ペンと、複数の情報処理装置と、を含む情報処理システムにおいて、各情報処理装置が処理可能なストローク情報を取得し、その他のストローク情報を電子ペンで保持できるようにする。【解決手段】電子ペン１４と、複数の情報処理装置１２と、を含む情報処理システムにおいて、電子ペン１４は、帳票内で指定した位置情報を示す複数のストローク情報を保持し、情報処理装置１２は、位置情報を配置する電子帳票を取得し、電子ペン１４が保持している複数のストローク情報から、取得した電子帳票に配置可能なストローク情報を取得することとする。そして、電子ペン１４は、前記複数の情報処理装置１２のいずれかが、ストローク情報を取得した後も、他の情報処理装置が取得する電子帳票に配置可能なストローク情報を保持する。【選択図】図１
2014075009.tif 000002
【特許請求の範囲】
【請求項１】
電子ペンと、複数の情報処理装置と、を含み、
前記電子ペンは、
帳票内で指定した位置情報を示す複数のストローク情報を保持するストローク情報保持手段、
を含み、
前記情報処理装置は、
前記位置情報を配置する電子帳票を取得する電子帳票取得手段と、
前記ストローク情報保持手段にて保持されている複数のストローク情報から、前記取得した電子帳票に配置可能なストローク情報を取得するストローク情報取得手段と、
を含み、
前記ストローク情報保持手段は、前記複数の情報処理装置のいずれかが、前記ストローク情報取得手段にてストローク情報を取得した後も、他の情報処理装置が取得する電子帳票に配置可能なストローク情報を保持する、
ことを特徴とする情報処理システム。
【請求項２】
前記ストローク情報保持手段は、ストローク情報に当該ストローク情報が指定された帳票を示す帳票識別情報を関連付けて保持し、
前記電子帳票取得手段は、電子帳票に対応する帳票識別情報を関連づけて取得し、
前記情報処理装置は、
電子帳票に関連付けられている帳票識別情報と、ストローク情報に関連付けられている帳票識別情報と、の比較結果に基づいて、共通する帳票識別情報が存在するか否かを判断する判断手段、をさらに含む、
ことを特徴とする請求項１に記載の情報処理システム。
【請求項３】
前記ストローク情報取得手段は、前記判断手段が存在すると判断した共通する帳票識別情報が関連付けられているストローク情報を取得する、
ことを特徴とする請求項２に記載の情報処理システム。
【請求項４】
前記情報処理装置は、
電子帳票に関連付けられている帳票識別情報と、ストローク情報に関連付けられている帳票識別情報と、で共通しない帳票識別情報が関連付けられているストローク情報を前記電子ペンへ送信するストローク情報送信手段、をさらに含む、
ことを特徴とする請求項２又は３に記載の情報処理システム。
【請求項５】
位置情報を配置する電子帳票を取得し、当該電子帳票に配置可能なストローク情報を取得する、複数の情報処理装置と接続される電子ペンを、
帳票内で指定した位置情報を示す複数のストローク情報を保持するストローク情報保持手段、
として機能させるプログラムであって、
前記ストローク情報保持手段は、前記複数の情報処理装置のいずれかが、ストローク情報を取得した後も、他の情報処理装置が取得する電子帳票に配置可能なストローク情報を保持する、
ことを特徴とするプログラム。
【発明の詳細な説明】
【技術分野】
【０００１】
本発明は、情報処理システム及びプログラムに関する。
【背景技術】
【０００２】
電子ペンと複数の情報処理装置を含む情報処理システムにおいて、電子ペンが帳票への物理的接触に基づいたストローク情報を取得すると、当該ストローク情報を情報処理装置へ送信して、当該情報処理装置が受信したストローク情報の処理を行う。そして、処理を行えない場合は、情報処理装置と通信可能な情報処理装置管理サーバが、処理を行える情報処理装置を検索してストローク情報を送信するという技術がある。
【先行技術文献】
【特許文献】
【０００３】
【特許文献１】特開２００７−３４６２４号公報
【発明の概要】
【発明が解決しようとする課題】
【０００４】
本発明の目的の一つは、電子ペンと、複数の情報処理装置と、を含む情報処理システムにおいて、各情報処理装置が処理可能なストローク情報を取得し、その他のストローク情報を電子ペンで保持できるようにすることにある。
【課題を解決するための手段】
【０００５】
請求項１に記載の発明は、電子ペンと、複数の情報処理装置と、を含む情報処理システムであって、前記電子ペンは、帳票内で指定した位置情報を示す複数のストローク情報を保持するストローク情報保持手段、を含み、前記情報処理装置は、前記位置情報を配置する電子帳票を取得する電子帳票取得手段と、前記ストローク情報保持手段にて保持されている複数のストローク情報から、前記取得した電子帳票に配置可能なストローク情報を取得するストローク情報取得手段と、を含み、前記ストローク情報保持手段は、前記複数の情報処理装置のいずれかが、前記ストローク情報取得手段にてストローク情報を取得した後も、他の情報処理装置が取得する電子帳票に配置可能なストローク情報を保持することとしたものである。
【０００６】
請求項２に記載の発明は、請求項１に記載の発明であって、前記ストローク情報保持手段は、ストローク情報に当該ストローク情報が指定された帳票を示す帳票識別情報を関連付けて保持し、前記電子帳票取得手段は、電子帳票に対応する帳票識別情報を関連づけて取得し、前記情報処理装置は、電子帳票に関連付けられている帳票識別情報と、ストローク情報に関連付けられている帳票識別情報と、の比較結果に基づいて、共通する帳票識別情報が存在するか否かを判断する判断手段、をさらに含むこととしたものである。
【０００７】
請求項３に記載の発明は、請求項２に記載の発明であって、前記ストローク情報取得手段は、前記判断手段が存在すると判断した共通する帳票識別情報が関連付けられているストローク情報を取得することとしたものである。
【０００８】
請求項４に記載の発明は、請求項２又は３に記載の発明であって、前記情報処理装置は、電子帳票に関連付けられている帳票識別情報と、ストローク情報に関連付けられている帳票識別情報と、で共通しない帳票識別情報が関連付けられているストローク情報を前記電子ペンへ送信するストローク情報送信手段、をさらに含むこととしたものである。
【０００９】
請求項５に記載の発明は、プログラムであって、位置情報を配置する電子帳票を取得し、当該電子帳票に配置可能なストローク情報を取得する、複数の情報処理装置と接続される電子ペンを、帳票内で指定した位置情報を示す複数のストローク情報を保持するストローク情報保持手段、として機能させ、前記ストローク情報保持手段は、前記複数の情報処理装置のいずれかが、ストローク情報を取得した後も、他の情報処理装置が取得する電子帳票に配置可能なストローク情報を保持することとしたものである。
【発明の効果】
【００１０】
請求項１及び５に記載の発明によれば、複数の情報処理装置の各情報処理装置が処理可能なストローク情報のみを取得し、電子ペンがその他のストローク情報を保持できることとなる。
【００１１】
請求項２に記載の発明によれば、情報処理装置が、当該情報処理装置で処理可能なストローク情報を、帳票を識別する帳票識別情報によって特定できることとなる。
【００１２】
請求項３に記載の発明によれば、情報処理装置が、帳票を識別する帳票識別情報によって特定した当該情報処理装置で処理可能ストローク情報を、取得できることとなる。
【００１３】
請求項４に記載の発明によれば、情報処理装置が、当該情報処理装置で処理可能なストローク情報のみを取得し、電子ペンがその他のストローク情報を保持できることとなる。
【図面の簡単な説明】
【００１４】
【図１】本発明の一実施形態における情報処理システムの概略の構成の一例を示す図である。
【図２】符号画像の単位パターンの一例を示す図である。
【図３】図２の単位パターンから構成される符号ブロックのレイアウトの一例を示す図である。
【図４】図３の符号ブロックが用紙に配置された様子の一例を示す図である。
【図５】電子ペン１４の構成の一例を示す図である。
【図６】本発明の一実施形態における情報処理システムにより実現される機能の一例を示す機能ブロック図である。
【図７】ストローク情報の一例を示す図である。
【図８】帳票識別情報リストの一例を示す図である。
【図９】本発明の一実施形態における情報処理システムにより行われる処理の流れの一例を示すフロー図である。
【図１０】本発明の一実施形態における情報処理システムにより行われる処理の流れの一例を示すフロー図である。
【発明を実施するための形態】
【００１５】
[第１実施形態]
以下、本発明の第１実施形態について図面に基づき詳細に説明する。
【００１６】
図１は、本発明の第１実施形態における情報処理システム１０の構成の一例を示す図である。図１に示すように、本実施形態における情報処理システム１０は、例えば、情報処理装置１２（１２−１〜１２−ｎ）、電子ペン１４及び印刷装置１６を含んで構成される。情報処理装置１２及び印刷装置１６はＬＡＮやインターネットなどの通信手段に接続されており、互いに通信されるようになっている。また、情報処理装置１２及び電子ペン１４はＵＳＢ（Universal-Serial-Bus）ケーブルで接続され、互いに通信されるようになっている。なお、情報処理装置１２と電子ペン１４との間の通信方式は、Ｂｌｕｅｔｏｏｔｈ（登録商標）、赤外線通信などであってもよい。
【００１７】
情報処理装置１２は、情報処理装置１２にインストールされるプログラムに従って動作するＣＰＵ等のプログラム制御デバイスである制御部、ＲＯＭやＲＡＭ等の記憶素子やハードディスクドライブなどである記憶部、ネットワークボードなどの通信インタフェースである通信部、カメラ、などを含んでいる。これらの要素は、バスを介して接続される。情報処理装置１２の記憶部には、情報処理装置１２の制御部によって実行されるプログラムが記憶される。また、情報処理装置１２の記憶部は、情報処理装置１２のワークメモリとしても動作する。
【００１８】
電子ペン１４は、印刷用紙上に文字または図形を筆記するために用いられるペンデバイスであり、用紙上に赤外光を照射する赤外ＬＥＤ（Light Emitting-Diode）や、反射光を検知することによって符号画像を読み取る赤外ＣＭＯＳ（Complementary-Metal-Oxide）などを備えている。電子ペン１４により筆記される用紙には、赤外線を吸収する顔料によって用紙の位置に応じた符号画像が印刷されている。そして、電子ペン１４は、撮像素子で読み取った符号画像から位置情報を検出して、当該位置情報を電子ペン１４の記憶部に保存する。
【００１９】
印刷装置１６は、例えば、プリンタ、複合機などの印刷装置であり、印刷装置１６に、インストールされるプログラムに従って動作するＣＰＵ等のプログラム制御デバイスである制御部、ＲＯＭやＲＡＭ等の記憶素子やハードディスクドライブなどである記憶部、ネットワークボードなどの通信インタフェースである通信部、操作部、表示部、画像形成部、用紙を収納するトレーなどを含んでいる。これらの要素は、バスを介して接続される。印刷装置１６の記憶部には、印刷装置１６の制御部によって実行されるプログラムが記憶される。また、印刷装置１６の記憶部は、印刷装置１６のワークメモリとしても動作する。
【００２０】
また、本実施形態では、情報処理装置１２の記憶部に、予め、用紙に印刷されるべき、書式画像（例えば、本実施形態では帳票画像とする。）が記憶されている。そして、印刷装置１６が、利用者の指示に応じて、媒体（例えば、本実施形態では紙媒体として用紙を用いる）に赤外線を吸収する不可視のインクによって符号画像と、可視のインクによって帳票画像を印刷することとする。
【００２１】
図２は、符号画像の一例を示す図である。図２には、符号画像の単位パターン７１０が例示されている。単位パターン７１０は、情報埋め込みの最小単位であり、この図２では、ハッチングが施された領域７１１及び領域７１２を単位情報配置可能な領域とし、その間にあるハッチングが施されていない領域を単位情報配置不可能な領域としている。また、単位情報配置可能なハッチングされた領域のうち、領域７１１のハッチングには単位情報が配置され、領域７１２のハッチングには単位情報が配置されていない。即ち、図２は、単位情報を配置可能な９箇所の中から選択した２箇所に単位情報を配置することで単位パターンを構成している。ここで、９箇所の中から２箇所を選択する組み合わせは３６（＝９Ｃ２）通りなので、単位パターンは、３６種類存在する。このうち、４種類の単位パターンは、同期パターンとして使用される。同期パターンとは、画像の回転を検出したり、後述する識別符号及び位置符号の相対的な位置を特定したりするためのパターンである。また、この４種類の単位パターンを除く３２種類の単位パターンは、識別符号及び位置符号を表現する情報パターンとして使用され、５ビットの情報が表現される。
【００２２】
図３は、図２の単位パターン７１０から構成される符号ブロック７２０のレイアウトが示されている。図３の最小の四角は、図２の単位パターン７１０（以下、「単位ブロック」という。）が配置されている。図３のレイアウトでは、符号ブロック７２０の左上の１つの単位ブロックに、同期符号が配置されている。また、同期符号が配置された単位ブロックの右側の４つの単位ブロックにＸ位置符号が配置され、同期符号が配置された単位ブロックの下側の４つの単位ブロックにＹ位置符号が配置されている。更に、これらの位置符号が配置された単位ブロックに囲まれた１６（＝４×４）個の単位ブロックに識別符号が配置されている。図４は、用紙４００に符号ブロックが配置された様子を可視的に示す図である。なお、本実施形態においては、図２〜図４に示されるような符号画像を用いることとしたが、この他の符号画像を用いることとしてもよい。
【００２３】
ここで、符号画像と、帳票画像と、が印刷された用紙の識別情報（以下、帳票識別情報と呼ぶ。）を識別符号として生成し、図３の識別符号の位置に配置することとする。そして、符号画像と、帳票画像と、が印刷されると同時に、印刷した画像に対応する電子データを電子帳票として作成する。この時、電子帳票には、対応する、符号画像と、帳票画像と、が印刷された用紙の帳票識別情報が関連付けられる。
【００２４】
図５は、電子ペン１４の構成の一例を示す図である。この図５に例示するように、電子ペン１４は、電子ペン１４全体の動作を制御する制御回路２１０と、また、制御回路２１０には、電子ペン１４による筆記動作を圧力として受けるペンチップ２９０と、ペンチップ２９０に接続され、ペンチップ２９０に加えられた圧力を検出する圧力センサ２２０と、印刷媒体上に赤外光を照射する赤外ＬＥＤ（Light Emitting Diode）２３０と、反射光を検知することによって符号画像を読み取る赤外ＣＭＯＳ（Complementary Metal Oxide Semiconductor）２４０と、識別情報及び位置情報を記憶するための情報メモリ２５０と、ＵＳＢケーブルなどにより外部装置と通信するための通信回路２６０と、ペンを駆動するためのバッテリ２７０と、ペンの識別情報（ペンＩＤ）を記憶するペンＩＤメモリ２８０と、を備えている。ここで、制御回路２１０は、読み取った符号画像を処理する画像処理部２１１と、そこでの処理結果から識別情報及び位置情報を抽出するデータ処理部２１２と、を含んでいる。
【００２５】
そして、本実施形態の電子ペン１４の画像処理部２１１は、電子ペン１４のペン先に備えられている赤外ＣＭＯＳ２４０が用紙から読み取った符号画像に基づいてストローク情報（例えば、位置情報、識別情報、日時、エラー情報、筆圧のＯＮ／ＯＦＦ情報などを含む。）を生成する。
【００２６】
また、本実施形態の情報処理装置１２は、電子ペン１４から取得したストローク情報を、ストローク情報に含まれる位置情報、帳票識別情報などに基づいて電子帳票上のストローク情報として配置させる処理を行う。
【００２７】
次に、本実施形態において情報処理装置１２、及び電子ペン１４が実行する機能について説明する。図６は、本実施形態における情報処理装置１２及び電子ペン１４の機能の一例を示すブロック図である。図６に示すように、本実施形態における情報処理装置１２は、機能的には、例えば、電子帳票生成部３０、帳票識別情報リスト生成部３２、判断部３４、ストローク情報処理部３６、削除部３８、保存部３９、送受信部４０を含んで構成されている。これらの機能は、記憶部に記憶されたプログラムを制御部が実行することにより実現されている。このプログラムは、例えば、光ディスク、磁気ディスク、磁気テープ、光磁気ディスク、フラッシュメモリ等のコンピュータ可読な情報記憶媒体を介して、あるいは、インターネットなどの通信手段を介して情報処理装置１２に供給される。
【００２８】
また、本実施形態における電子ペン１４は、機能的には、例えば、ストローク情報生成部４２、帳票識別情報リスト生成部４４、保存部４５、削除部４６、判断部４７、送受信部４８を含んで構成されている。これらの機能は、記憶部に記憶されたプログラムを制御部が実行することにより実現されている。このプログラムは、例えば、ケーブル、ＮＦＣ（Near-Field-Communication）などの通信手段を介して電子ペン１４に供給される。
【００２９】
情報処理装置１２の電子帳票生成部３０は、印刷装置１６に対して、情報処理装置１２の記憶部に記憶されている符号画像と、帳票画像と、を用紙に印刷するべき印刷指示を行う。そして、印刷装置１６は、当該印刷指示を受け付けて、符号画像と、帳票画像と、を用紙に印刷する（以下、符号画像と、帳票画像と、を印刷した用紙を帳票とする）。そして、印刷した帳票に対応する電子データを電子帳票として生成し、保存部３９が情報処理装置１２の記憶部に保存する。
【００３０】
情報処理装置１２の帳票識別情報リスト生成部３２は、電子帳票生成部３０が生成した電子帳票に関連付けられている帳票識別情報を抽出して電子帳票識別情報リストを生成し、保存部３９が情報処理装置１２の記憶部に保存する。
【００３１】
電子ペン１４のストローク情報生成部４２は、電子ペン１４が情報処理装置１２の電子帳票生成部３０が生成した帳票内に筆記した情報をストローク情報として生成する。具体的には、例えば、ストローク情報生成部４２は、電子ペン１４のペン先に備えられている撮像素子が読み取る符号画像を取得し、当該符号画像からストローク情報を生成する。そして、保存部４５が、ストローク情報を電子ペン１４の記憶部に保存する。
【００３２】
図７は、ストローク情報の一例を示す図である。図７に例示するストローク情報は、ストローク（位置情報）と、帳票識別情報（識別情報）と、を関連づけて管理されている。
【００３３】
電子ペン１４の帳票識別情報リスト生成部４４は、電子ペン１４の記憶部に保存されているストローク情報に関連付けられている帳票識別情報を抽出して帳票識別情報リストを作成する。そして、保存部４５が、生成した帳票識別情報リストを電子ペン１４の記憶部に保存する。
【００３４】
図８は、帳票識別情報リストの一例を示す図である。図８に例示する帳票識別情報リストは、図６に例示するストローク情報から抽出した帳票識別情報のうち重複する帳票識別情報を１つとして管理している。
【００３５】
本実施形態における情報処理装置１２及び電子ペン１４により行われるストローク情報の処理の流れを図９のシーケンス図を参照しながら説明する。
【００３６】
使用者が情報処理装置１２にて、記憶部に保存されている電子帳票にストローク情報を反映するべき操作指示を入力すると、情報処理装置１２の送受信部４０が、電子ペン１４へ電子ペン１４の記憶部に保存されている帳票識別情報リストを送信するべき要求データを送信する（Ｓ１０１）。
【００３７】
電子ペン１４の送受信部４８が、情報処理装置１２の送受信部４０からの要求データを受け付けて電子ペン１４の記憶部に保存されている帳票識別情報リストを情報処理装置１２の送受信部４０へ送信する（Ｓ１０２）。
【００３８】
情報処理装置１２の判断部３４は、送受信部４０が受信した帳票識別情報リストに含まれる帳票識別情報の数が０であるか否かを判断し（Ｓ１０３）、０であると判断した場合は、処理を終了する。
【００３９】
判断部３４が０でないと判断した場合は、判断部３４が、送受信部４０が受信した帳票識別情報リストと、情報処理装置１２の記憶部に保存されている電子帳票識別情報リスト、とで共通する帳票識別情報が存在するか否かを判断する（Ｓ１０４）。具体的には、例えば、ストローク情報に関連付けられている帳票識別情報と、電子帳票識別情報と、の論理積（ＡＮＤ）を共通帳票識別情報リストとして求め、共通帳票識別情報リストが存在するか否かを判断する。
【００４０】
判断部３４が共通する帳票識別情報は存在すると判断した場合は、帳票識別情報リスト生成部３２が、帳票識別情報リストと、電子帳票識別情報リストと、の論理積（ＡＮＤ）を共通帳票識別情報リストとして生成する（Ｓ１０５）。
【００４１】
そして、情報処理装置１２の送受信部４０が、電子ペン１４の送受信部４８へ共通帳票識別情報リストに含まれる帳票識別情報が関連付けられているストローク情報（以下、共通ストローク情報とする）を送信するべき要求データ（共通帳票識別情報リスト）を送信する（Ｓ１０６）。
【００４２】
電子ペン１４の送受信部４８は、情報処理装置１２の送受信部４０からの要求データを受け付けて、共通ストローク情報を情報処理装置１２の送受信部４０へ送信する（Ｓ１０７）。
【００４３】
そして、電子ペン１４の判断部４７が、電子ペン１４の記憶部に共通ストローク情報が存在するか否かを判断し（Ｓ１０８）、存在しないと判断した場合は、電子ペン１４の処理を終了する。
【００４４】
存在すると判断した場合は、削除部４６が、共通ストローク情報と、共通帳票識別情報リストと、を電子ペン１４の記憶部から削除して（Ｓ１０９）、電子ペン１４の処理を終了する。
【００４５】
そして、情報処理装置１２の判断部３４は、処理Ｓ１０７にて送受信部４０が受信した共通ストローク情報の数が０であるか否かを判断し（Ｓ１１０）、０であると判断した場合は情報処理装置１２の処理を終了する。
【００４６】
そして、０でないと判断した場合は、ストローク情報処理部３６が、共通ストローク情報を、当該共通ストローク情報に対応する電子帳票内に処理する（Ｓ１１１）。
【００４７】
そして、情報処理装置１２の削除部３８が、処理Ｓ１１１にて、ストローク情報処理部３６が処理した共通ストローク情報と、共通帳票識別情報リストと、を削除し（Ｓ１１２）、続けて、帳票識別情報リストを削除する（Ｓ１１３）。そして、情報処理装置１２の処理を終了する。
【００４８】
また、処理Ｓ１０４にて、判断部３４が共通帳票識別情報は存在しないと判断した場合は、削除部３８が、帳票識別情報リストを削除（Ｓ１１３）して、情報処理装置１２の処理を終了する。
【００４９】
[第２実施形態]
上記の第１実施形態では、情報処理装置１２の判断部３４が電子ペン１４から取得したストローク情報関連付け帳票識別情報と、電子帳票識別情報と、を照合しているが、第２実施形態では、情報処理装置１２の判断部３４が、電子ペン１４からストローク情報を全て取得して、当該ストローク情報に関連付けられている帳票識別情報と、電子帳票識別情報と、を照合することとする。
【００５０】
第２実施形態における情報処理装置１２及び電子ペン１４により行われるストローク情報の処理の流れを図１０のシーケンス図を参照しながら説明する。
【００５１】
使用者が情報処理装置１２にて、記憶部に保存されている電子帳票にストローク情報を反映するべき操作指示を入力すると、情報処理装置１２の送受信部４０が、電子ペン１４の送受信部４８へ電子ペン１４の記憶部に保存されているストローク情報を送信するべき要求データを送信する（Ｓ２０１）。
【００５２】
電子ペン１４の送受信部４８が、情報処理装置１２の送受信部４０からの要求データを受け付けて、電子ペン１４の記憶部に保存されているストローク情報を情報処理装置１２の送受信部４０へ送信する（Ｓ２０２）。そして、電子ペン１４の判断部４７は、電子ペン１４の記憶部に保存されているストローク情報の数が０であるか否かを判断し（Ｓ２０３）、０でないと判断した場合は、削除部４６が電子ペン１４の記憶部に保存されているストローク情報を削除する（Ｓ２０４）。
【００５３】
情報処理装置１２の判断部３４は、電子ペン１４の送受信部４８から受信したストローク情報の数が０であるか否かを判断し（Ｓ２０５）、０であると判断した場合は、情報処理装置１２の処理を終了する。
【００５４】
判断部３４が、０でないと判断した場合は、情報処理装置１２の保存部３９が、電子ペン１４の送受信部４８から受信したストローク情報を情報処理装置１２の記憶部に保存する（Ｓ２０６）。
【００５５】
そして、判断部３４が、処理Ｓ２０６にて、保存部３９が情報処理装置１２の記憶部に保存したストローク情報に関連付けられている帳票識別情報と、電子帳票識別情報と、で共通する帳票識別情報が存在するか否かを判断する（Ｓ２０７）。具体的には、例えば、ストローク情報に関連付けられている帳票識別情報と、電子帳票識別情報と、の論理積（ＡＮＤ）を共通帳票識別情報リストとして求め、共通帳票識別情報リストが存在するか否かを判断する。
【００５６】
判断部３４が、共通する帳票識別情報が存在すると判断した場合は、情報処理装置１２のストローク情報処理部３６が、共通帳票識別情報リストに含まれる帳票識別情報が関連付けられているストローク情報（以下、共通ストローク情報とする）を対応する電子帳票へ処理する（Ｓ２０８）。
【００５７】
そして、情報処理装置１２の削除部３８は、処理Ｓ２０８にて、ストローク情報処理部３６が処理を行った共通ストローク情報を情報処理装置１２の記憶部から削除する（Ｓ２０９）。
【００５８】
続いて、判断部３４が、情報処理装置１２の記憶部に保存されているストローク情報の数が０であるか否かを判断し（Ｓ２１０）、０であると判断した場合は、情報処理装置１２の処理を終了する。
【００５９】
０でないと判断した場合は、情報処理装置１２の送受信部４０が、情報処理装置１２の記憶部に保存されているストローク情報を電子ペン１４の送受信部４８へ送信する（Ｓ２１１）。そして、電子ペン１４の保存部４５は、処理Ｓ２１１にて情報処理装置１２の送受信部４０から受信したストローク情報を電子ペン１４の記憶部に保存して（Ｓ２１２）、電子ペン１４の処理を終了する。
【００６０】
そして、情報処理装置１２の削除部３８が、情報処理装置１２の記憶部からストローク情報を削除して（Ｓ２１３）、情報処理装置１２の処理を終了する。
【００６１】
また、処理Ｓ２０７にて、判断部３４が、共通する帳票識別情報が存在しないと判断した場合は、情報処理装置１２の記憶部に保存されているストローク情報を電子ペン１４の送受信部４８へ送信する（Ｓ２１１）。そして、電子ペン１４の送受信部４８が受信したストローク情報を電子ペン１４の記憶部に保存して（Ｓ２１２）、電子ペン１４の処理を終了する。
【００６２】
なお、本発明は上述の実施形態に限定されるものではない。
【００６３】
例えば、本実施形態では、印刷装置１６が、利用者の指示に応じて、符号画像と、帳票画像と、を同時に用紙に印刷することとしたが、予め、符号画像を用紙に印刷したものを用意して印刷装置１６のトレーに格納することとしてもよい。
【００６４】
また、本実施形態では、印刷する媒体を紙媒体としたが、印刷媒体は、ＯＨＰシートや金属シート等の印刷可能な媒体であってもよい。
【００６５】
また、第１実施形態では、情報処理装置１２が、電子ペン１４の記憶部に保存されているストローク情報関連付け帳票識別情報を要求して受信しているが、このような例に限定されるものではない。例えば、情報処理装置１２が、情報処理装置１２の記憶部に保存されている電子帳票識別情報リストを電子ペン１４へ送信することとしてもよい。この場合は、電子ペン１４に判断部を設けて、図９における処理Ｓ１０３〜Ｓ１０５の処理を電子ペン１４で実行する。そして、電子ペン１４の送受信部４８が共通帳票識別情報リストに含まれる帳票識別情報が関連付けられているストローク情報を情報処理装置１２の送受信部４０へ送信する。以降の処理は、図９の処理Ｓ１０８以降の処理と同様である。
【符号の説明】
【００６６】
１０  情報処理システム、１２  情報処理装置、１４  電子ペン、１６  印刷装置、３０  電子帳票生成部、３２  帳票識別情報リスト生成部、３４  判断部、３６  ストローク情報処理部、３８  削除部、３９  保存部、４０  送受信部、４２  ストローク情報生成部、４４  帳票識別情報リスト生成部、４５  保存部、４６  削除部、４７  判断部、４８  送受信部、２１０  制御回路、２１１  画像処理部、２１２  データ処理部、２２０  圧力センサ、２３０  赤外ＬＥＤ、２４０  赤外ＣＭＯＳ、２５０  情報メモリ、２６０  通信回路、２７０  バッテリ、２８０  ペンＩＤメモリ、２９０  ペンチップ、４００  用紙、７１０  単位パターン、７１１  領域、７１２  領域、７２０  符号ブロック。
【図１】
2014075009.tif 000003
【図２】
2014075009.tif 000004
【図３】
2014075009.tif 000005
【図４】
2014075009.tif 000006
【図５】
2014075009.tif 000007
【図６】
2014075009.tif 000008
【図７】
2014075009.tif 000009
【図８】
2014075009.tif 000010
【図９】
2014075009.tif 000011
【図１０】
2014075009.tif 000012